(57)【特許請求の範囲】
【請求項１】
操作位置に対応した機能を実行するタッチパネル付きディスプレイを備えた携帯情報端末により構成されるナースコール子機であって、
少なくとも前記タッチパネル付きディスプレイの表示により電力を消耗するバッテリーと、
時間を計測するタイマーと、
患者が医療従事者を呼び出すための呼出機能を示すアイコンと他の機能を示す複数のアイコンとを略同じ大きさで前記タッチパネル付きディスプレイに通常画面として表示させる第一の処理と、所定のタイミングで前記タイマーを動作させ、前記タイマーが計測した時間が所定時間経過するまでに前記タッチパネル付きディスプレイが操作されなかった場合に、前記タッチパネル付きディスプレイの表示を前記バッテリーの電力の消耗を抑えるパワーセーブ画面に移行させる第二の処理と、前記パワーセーブ画面へ移行した状態で、前記パワーセーブ画面が解除された場合に、前記呼出機能を示すアイコンを前記通常画面における呼出機能を示すアイコンよりも大きく前記タッチパネル付きディスプレイに表示させるとともに、前記通常画面に戻るためのアイコンを、前記呼出機能を示すアイコンよりも小さく前記タッチパネル付きディスプレイに表示させる第三の処理とを行う制御部と、
を備えたナースコール子機。
【発明の詳細な説明】
【技術分野】
【０００１】
本発明は、患者が医療従事者を呼び出すために用いられるナースコール子機に関し、特に、特に、呼び出しの操作を行うためのタッチパネルを備えたナースコール子機に関する。
【背景技術】
【０００２】
一般的に、病院などでは、ナースコールシステムが用いられている。ナースコールシステムは、病院内の患者が医師または看護師のサポートを必要とする際に、患者がナースコール子機に設けられた呼出操作部を操作することによって、ナースコール子機に接続されたナースコール親機にて報知が行われ、この報知によって医者や看護師（以下、これらをまとめて医療従事者と記載する）を呼び出すことができるように成されたシステムである。
【０００３】
多くのナースコールシステムは、病室内のベッド近傍に設置されるナースコール子機と、医療従事者が常駐するナースステーションに設置されるナースコール親機と、病室の出入口付近の廊下側に設置される廊下灯と、通話やデータの送受信に関する制御を行う制御機とを備えて構成されている。また、上述した構成に加えて、医療従事者が携帯するＰＨＳ（Personal Handy phone System）端末などの携帯端末とＰＢＸ（Private Branch Exchange：電話交換機）とを備えたナースコールシステムも提供されている。
【０００４】
ここで、上述した呼出操作部をタッチパネル付きディスプレイで実現する技術が知られている（例えば、特許文献１など）。この特許文献１に記載の技術では、様々な呼びだしの理由（例えば、緊急呼び出しや通常呼び出し、トイレ介助、点滴終了、食事終了など）に対応するボタンをタッチパネル付きディスプレイに表示している。
【０００５】
ところで、携帯情報端末に電話機能を備えたスマートフォンと呼ばれる携帯情報端末が知られている。このスマートフォンでは、各種機能を示す複数のアイコンをタッチパネル付きディスプレイに縦横に並べて表示することが一般的である（例えば、特許文献２など）。上述した特許文献２に記載のスマートフォンにナースコール子機の患者が医療従事者を呼び出すための呼出機能を搭載し、ナースコール子機の呼出機能を一つのアイコンとしてタッチパネル付きのディスプレイに表示することで、患者が自身の持ち物であるスマートフォンを、そのままナースコール子機として使用することができるようになる。
【０００６】
また、スマートフォンなどの携帯情報端末では、バッテリーの消耗を抑えるために、タッチパネル付きディスプレイや他の操作部が操作されていない状態が所定時間経過した場合に、タッチパネル付きディスプレイの画面をパワーセーブ画面に切り替えることが一般的に行われている。そのため、上述した特許文献２に記載のスマートフォンにナースコール子機の呼出機能を搭載した場合でも、タッチパネル付きディスプレイや他の操作部が操作されていない状態が所定時間経過すると、タッチパネル付きディスプレイの画面がパワーセーブ画面に切り替わる。このようなパワーセーブ画面を解除する場合、携帯情報端末の使用者は、タッチパネル付きディスプレイや他の操作部を操作したり、セキュリティを考慮する場合にはパスワードを入力したりする必要がある。
【０００７】
しかしながら、上述した従来技術では、パワーセーブ画面が解除されると各種機能を示す複数のアイコンがタッチパネル付きディスプレイに表示され、複数のアイコンのうちの一つのアイコンがナースコール子機の呼出機能を実現しているため、患者がスマートフォンなどの携帯情報端末を咄嗟に操作しようとした場合に、ナースコール子機の呼出機能を示すアイコンを探すのに時間がかかって、呼び出しの操作が遅れたり、ナースコール子機の呼出機能以外の機能を示すアイコンを誤って操作したりするケースが生じてしまうという問題があった。ここで、患者が携帯情報端末を弄っているような状況では、患者が携帯情報端末の画面を見ている可能性が高いため、複数のアイコンの中からナースコール子機の呼出機能を示すアイコンを迅速に選択することができると考えられる。
【先行技術文献】
【特許文献】
【０００８】
【特許文献１】特開２０１０−５０５９号公報
【特許文献２】特開２０１１−６４０３０号公報
【発明の概要】
【発明が解決しようとする課題】
【０００９】
本発明は、このような問題を解決するために成されたものであり、パワーセーブ画面が解除された場合でも、患者がナースコール子機の呼出機能を示すアイコンを容易に選択できるようにすることを目的とする。
【課題を解決するための手段】
【００１０】
上述した課題を解決するために、本発明では、ナースコール子機の呼出機能を示すアイコンと他の機能を示す複数のアイコンとが略同じ大きさでタッチパネル付きディスプレイに表示される通常画面から、所定時間が経過して携帯情報端末のバッテリーの消耗を抑えるパワーセーブ画面へ移行した状態で、パワーセーブ画面が解除された場合に、ナースコール子機の呼出機能を示すアイコンを通常画面における大きさよりも大きく表示するとともに、通常画面に戻るためのアイコンをそれよりも小さく表示するようにしている。
【発明の効果】
【００１１】
上記のように構成した本発明によれば、携帯情報端末でパワーセーブ画面が解除されると、ナースコール子機の呼出機能を示すアイコンが大きく表示されるので、患者が携帯情報端末を咄嗟に操作しようとした場合でも、患者はナースコール子機の呼出機能を示すアイコンを容易に選択することができる。
【図面の簡単な説明】
【００１２】
【図１】本実施形態によるナースコール子機を備えたナースコールシステムの構成例を示すブロック図である。
【図２】本実施形態によるナースコール子機のタッチパネル付きディスプレイの表示画面の例を示す図である。
【図３】本実施形態のナースコール子機によるタッチパネルディスプレイの表示動作の例を示すフローチャートである。
【発明を実施するための形態】
【００１３】
以下、本発明の一実施形態を図面に基づいて説明する。図１は、本実施形態によるナースコール子機１を備えたナースコールシステムの構成例を示すブロック図である。ナースコール子機１は、各病室のベッド近傍に設置されており、患者によって使用される。ここで、ナースコール子機１は、スマートフォンなどのタッチパネル付きディスプレイ３を備えた携帯情報端末が用いられる。また、図１に示すように、ナースコール子機１は、制御部２、タッチパネル付きディスプレイ３、バッテリー４、タイマー５、送信部６を備えて構成されている。
【００１４】
また、ナースコール親機１０は、医療従事者が常駐するナースステーションなどに設置されており、医療従事者によって使用される。ここで、ナースコール親機１０は、図１に示すように、親機制御部１１、受信部１２、記憶部１３、報知部１４を備えて構成されている。
【００１５】
まず、ナースコール子機１の各構成要素について説明する。制御部２は、ナースコール子機１の各構成要素を後述するように制御するためのものであり、ＣＰＵ（Central Processing Unit）などにより構成されている。タッチパネル付きディスプレイ３は、前面にタッチパネルを備えた表示ディスプレイであり、図２（ａ）や図２（ｃ）に示すように、タッチパネル付きディスプレイ３に表示されたアイコン１０１、１０２、１２１、１２２に該当する位置が操作されると、制御部２は、それらのアイコン１０１、１０２、１２１、１２２に対応する機能を実行する。ここで、制御部２は、タッチパネル付きディスプレイ３に表示される画面の制御も行っており、通常の場合には、図２（ａ）に示す通常画面１００をタッチパネル付きディスプレイ３に表示させる。このとき、制御部２は、患者が医療従事者を呼び出すための呼出機能を示すアイコン１０１とともに、他の複数のアイコン１０２を略同じ大きさとして縦横に並べた通常画面１００をタッチパネル付きディスプレイ３に表示させる。なお、通常画面１００上での呼出機能を示すアイコン１０１の位置は、図２（ａ）に示す位置に限定されない。
【００１６】
バッテリー４は、ナースコール子機１の図示しない筐体に内蔵されており、少なくとも制御部２がタッチパネル付きディスプレイ３に画面を表示することで消耗される。タイマー５は時間を計測するためのものであり、所定のタイミングで時間の計測を開始する。ここで、所定のタイミングとは、ナースコール子機１の電源が入ったタイミングなどである。ナースコール子機１の電源が入ると、制御部２はタイマー５を動作させる。そして、タイマー５が計測した時間が所定時間経過するまでに、タッチパネル付きディスプレイ３が操作されたか否かを制御部２にて判定する。
【００１７】
タイマー５が計測した時間が所定時間経過するまでに、タッチパネル付きディスプレイ３が操作されたと制御部２にて判定した場合には、制御部２はタイマー５をリセットする。一方、タイマー５が計測した時間が所定時間経過するまでに、タッチパネル付きディスプレイ３が操作されなかったと制御部２にて判定した場合には、制御部２は、バッテリー４の消耗を抑えるために、図２（ｂ）に示すようなパワーセーブ画面１１０をタッチパネル付きディスプレイ３に表示させる。ここで、パワーセーブ画面１１０は、タッチパネル付きディスプレイ３の電力の消耗を抑えるための画面である。そのため、制御部２は、画面を全く表示しないようにしたり、通常画面１００を表示した状態でバックライトを消灯したりしてパワーセーブ画面１１０を生成する。
【００１８】
このように、タッチパネル付きディスプレイ３にパワーセーブ画面１１０が表示されている状態で、制御部２はタッチパネル付きディスプレイ３が操作されたか否かを判定する。そして、タッチパネル付きディスプレイ３が操作されたと制御部２にて判定した場合には、制御部２は、図２（ｃ）に示すような呼出機能に特化した画面１２０をタッチパネル付きディスプレイ３に表示させる。ここで、呼出機能に特化した画面１２０は、患者が医療従事者を呼び出すための呼出機能を示すアイコン１２１を大きく表示するとともに、タッチパネル付きディスプレイ３に表示される画面を通常画面１００へ戻すためのアイコン１２２を、呼出機能を示すアイコン１２１よりも小さく表示している。また、呼出機能に特化した画面１２０における呼出機能を示すアイコン１２１の大きさは、少なくとも通常画面１００における呼出機能を示すアイコン１０１よりも大きければ良い。
【００１９】
この呼出機能に特化した画面１２０において、呼出機能を示すアイコン１２１が操作されると、制御部２は呼出信号を生成する。ここで、呼出信号は、ナースコール子機１を他のナースコール子機１と識別するための子機識別情報を含む。また、呼出機能に特化した画面１２０において、通常画面へ戻るためのアイコン１２２が操作されると、制御部２はタッチパネル付きディスプレイ３に通常画面１００を表示させる。
【００２０】
また、通常画面１００において、呼出機能を示すアイコン１０１が操作されると、制御部２は呼出信号を生成する。また、通常画面１００において、その他のアイコン１０２が操作されると、制御部２は各アイコン１０２に対応した機能を実行する。
【００２１】
送信部６は、ナースコール子機１とナースコール親機１０との間で無線にて通信を行うためのものである。ここで、送信部６は、制御部２によって生成された呼出信号を送信する。
【００２２】
次に、ナースコール親機１０の各構成要素について説明する。制御部１１は、ナースコール親機１０の各構成要素を後述するように制御するためのものであり、ＣＰＵなどにより構成されている。受信部１２は、ナースコール子機１とナースコール親機１０との間で無線にて通信を行うためのものである。ここで、受信部１２は、ナースコール子機１から送信された呼出信号を受信する。
【００２３】
記憶部１３は、子機識別情報と、この子機識別情報によって特定されるナースコール子機１を使用する患者を他の患者と識別するための患者識別情報（例えば、患者氏名など）とを関連付けて予め記憶している。なお、子機識別情報により患者を特定することができるような場合には、記憶部１３は不要となる。
【００２４】
報知部１４は、スピーカーや表示ディスプレイ、ランプなどにより構成されており、ナースコール子機１によって患者が医療従事者を呼び出す操作を行ったことを報知する。受信部１２が呼出信号を入力したと親機制御部１１にて判断した場合、親機制御部１１は報知部１４を動作させる。また、親機制御部１１は記憶部１３を参照して、受信部１２が受信した呼出信号に含まれる子機識別情報に関連付けて記憶されている患者識別情報を抽出する。報知部１４は、スピーカーから報知音を出力したり、表示ディスプレイに患者識別情報を含む報知表示を行ったり、ランプを点滅（または点灯）したりして報知を行う。
【００２５】
次に、本実施形態のナースコール子機１によるタッチパネル付きディスプレイ３の表示動作の例を説明する。図２は、本実施形態のナースコール子機１によるタッチパネル付きディスプレイ３の表示動作の例を示すフローチャートである。まず、ナースコール子機１の電源が入ると、タッチパネル付きディスプレイ３は制御部２により通常画面１００を表示し、制御部２はタイマー５を動作させる（ステップＳ１）。
【００２６】
タッチパネル付きディスプレイ３のタッチパネルが操作されたか否かを制御部２にて調べる（ステップＳ２）。タッチパネルが操作されたと制御部２にて判定した場合には（ステップＳ２にてＹＥＳ）、制御部２はタイマー５をリセットする（ステップＳ３）。ここで、タッチパネルが操作された場合に、通常画面１００のアイコン１０１、１０２が操作されると、制御部２は操作されたアイコン１０１または１０２に対応する機能を実行するが、このフローチャートではその動作の説明を省略している。
【００２７】
そして、ステップＳ２の処理に戻る。一方、タッチパネルが操作されていないと制御部２にて判定した場合には（ステップＳ２にてＮＯ）、タイマー５が計測した時間が所定時間経過したか否かを制御部２にて調べる（ステップＳ４）。
【００２８】
タイマー５が計測した時間が所定時間経過していないと制御部２にて判定した場合には（ステップＳ４にてＮＯ）、ステップＳ２の処理に戻る。一方、タイマー５が計測した時間が所定時間経過していないと制御部２にて判定した場合には（ステップＳ４にてＹＥＳ）、タッチパネル付きディスプレイ３は制御部２によりパワーセーブ画面１１０を表示する（ステップＳ５）。そして、タッチパネル付きディスプレイ３のタッチパネルが操作されたか否かを制御部２にて再び調べる（ステップＳ６）。
【００２９】
タッチパネルが操作されていないと制御部２にて判定した場合には（ステップＳ６にてＮＯ）、ステップＳ６の処理を繰り返す。一方、タッチパネルが操作されたと制御部２にて判断した場合には（ステップＳ６にてＹＥＳ）、タッチパネル付きディスプレイ３は制御部２により、呼出機能を示すアイコン１２１を大きく表示するとともに、通常画面１００に戻るためのアイコン１２２をそれよりも小さく表示する（ステップＳ７）。
【００３０】
そして、通常画面１００に戻るためのアイコン１２２が操作されたか否かを制御部２にて調べる（ステップＳ８）。通常画面１００に戻るためのアイコン１２２が操作されたと制御部２にて判断した場合には(ステップＳ８にてＹＥＳ）、ステップＳ１の処理に戻る。一方、通常画面１００に戻るためのアイコン１２２が操作されていないと制御部２にて判断した場合には（ステップＳ８にてＮＯ）、ステップＳ２の処理に戻る。
【００３１】
以上詳しく説明したように、本実施形態によれば、患者が医療従事者を呼び出すための呼出機能を示すアイコン１０１と他の機能を示す複数のアイコン１０２とが略同じ大きさでタッチパネル付きディスプレイ３に表示される通常画面１００から、所定時間が経過してバッテリー４の消耗を抑えるパワーセーブ画面１１０へ移行した状態で、パワーセーブ画面１１０が解除された場合に、呼出機能を示すアイコン１２１を通常画面１００における大きさよりも大きく表示するとともに、通常画面１００に戻るためのアイコン１２２をそれよりも小さく表示するようにしている。
【００３２】
これにより、パワーセーブ画面１１０が解除されると、呼出機能を示すアイコン１２１が大きく表示されるので、患者がナースコール子機１を咄嗟に操作しようとした場合でも、患者は呼出機能を示すアイコン１２１を容易に選択することができる。また、呼出機能を示すアイコンとともに通常画面１００に戻るためのアイコン１２２が小さく表示されるため、呼出機能以外の機能を実行することもできる。
【００３３】
なお、前述した実施形態では、呼出機能に特化した画面１２０における呼出機能を示すアイコン１２１の大きさを大きくしているが、これに限定されない。例えば、通常画面１００における上側三分の二程度のアイコン１０２の全てを、呼出機能を示すアイコン１０１とすることで、呼出機能を示すアイコン１０１を見かけ上大きくするようにしても良い。すなわち、図２（ａ）における１２個のアイコンを呼出機能を示すアイコンとし、その他の８個のアイコンを通常画面１００に戻るためのアイコンとすることで、呼出機能を示すアイコン１０１の面積が増える。
【００３４】
また、前述した実施形態では、パワーセーブ画面１１０は、バッテリー４の消耗を抑えるためにタッチパネル付きディスプレイ３に表示されるが、これに限定されない。例えば、タッチ付きパネルディスプレイ３の焼き付き防止のために、パワーセーブ画面１１０をタッチパネル付きディスプレイ３に表示させるようにしても良い。
【００３５】
また、前述した実施形態では、ナースコール子機１は通信を行うための構成要素として呼出信号を送信するための送信部６のみを備えているが、これに限定されない。すなわち、ナースコール子機１がスマートフォンなどの携帯情報端末により構成されているので、電話機能を実現するための送受信部をナースコール子機１が備えていることは勿論である。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３７】
１    ナースコール子機
２    制御部
３    タッチパネル付きディスプレイ
４    バッテリー
５    タイマー
６    送信部
１０    ナースコール親機
１１    親機制御部
１２    受信部
１３    記憶部
１４    報知部
【図１】
0005751976.tif 000002
【図２】
0005751976.tif 000003
【図３】
0005751976.tif 000004